(57)【要約】【課題】全体を使い勝手の良いように板状に形成し、一回の作業でまつ毛を弧状の理想的形態に形成、維持することができるまつ毛カール器を提供することを目的とする。【解決手段】内側へ弧状に湾曲した板状の把持ケース１を、ケース本体部２と、これに嵌合するカバー部３にて構成し、ケース本体部は、上端に、弧状に湾曲する固定押圧板４を有し、この固定押圧板下方に、穴５、さらには可動操作板およびヒータ電源４２の収容部が設けられ、前記可動操作板２１は、上端に、弧状に湾曲されたゴム収容凹部２３が設けられ、この収容凹部に押圧ゴム３１が収容され、かつ前記可動操作板２１の操作部２２が固定押圧板４下方の穴５に擢動自在に嵌合され、固定押圧板４の下端接触面は、まつ毛をカールするように湾曲した突曲面９に形成され、前記押圧ゴム３１の上端接触面は、凹曲面３３に形成され、押圧ゴム３１内部にヒータ４１が挿入されて構成される。【選択図】          図６
2004160078.tif 000002
【特許請求の範囲】
【請求項１】
内側へ弧状に湾曲した板状の把持ケースを、ケース本体部と、これに嵌合するカバー部にて構成し、
ケース本体部は、上端に、目元接触面に沿うよう弧状に湾曲する横長の固定押圧板を有し、この固定押圧板下方に、まつ毛の挿入および可動操作板の昇降操作用の穴、さらには可動操作板およびヒータ電源の収容部がそれぞれ設けられており、
前記可動操作板は、上端に、固定押圧板に対応するように弧状に湾曲された横長のゴム収容凹部が設けられ、この収容凹部に押圧ゴムが、その上端接触面が上方へ突出した状態で収容されており、かつ前記可動操作板に設けられた操作部が前記固定押圧板の穴に擢動自在に嵌合、配置されており、
前記固定押圧板の下端接触面は、まつ毛をカールするよう、縦方向へ弧状に湾曲した突曲面に形成される一方、前記押圧ゴムの上端接触面は、これに対応するよう凹曲面に形成されており、
この押圧ゴム内部にヒータ電源に接続されたヒータが挿入されていることを特徴とするまつ毛カール器。
【請求項２】
板状の把時ケースにおける本体ケースの外側下方に、ヒータ電源をオン、オフ操作するスイッチを設けたことを特徴とする請求項１記載のまつ毛カール器。
【発明の詳細な説明】
【０００１】
【発明の属する技術分野】
本発明は、ヒータ熱を利用してまつ毛をカールする使い勝手の良いまつ毛カール器に関する。
【０００２】
【従来の技術】
従来のまつ毛カール器としては図９に示したように、一対の作動脚ｂ、ｃを軸ｄにて回動自在に軸支した鋏タイプのカール器ａが知られている。
このカール器ａは、その先端に対向するようにして押えゴムｅと押圧部ｆが設けられている。そして、押圧ゴムの押圧部ｆとの対向部は平坦面ｇに形成され、押圧部ｆの押圧ゴムｅとの対向部は平坦面ｇと直交するよう尖鋭端ｈに形成されている。
【０００３】
【発明が解決しようとする課題】
ところで、前記した従来の鋏タイプのカール器ａは、先端の開放状態にある押圧ゴムｅと押圧部ｆ間にまつ毛を挿入し、作動脚ｂ、ｃを互いに内側方向へ押し込むことで押えゴムｅと押圧部ｆを閉じてまつ毛をカールするものである。
【０００４】
しかしながら、まつ毛と接触する押圧ゴムｅ先端が平坦面ｇに形成される一方、押圧部ｆ先端が尖鋭端ｈに形成されているため、押圧部ｆの尖鋭端ｈが押圧ゴムの平坦面ｇへ突き刺さった状態となる。その結果、まつ毛が一点でＶ字状に折り曲がってしまい、抜け毛、切れ毛等、まつ毛を損傷する要因となっている。
【０００５】
また、従来のカール器ａを使ってまつ毛全体をカールするためには、まつ毛の数個所を折り曲げなければならず、さらに、その作業を一日に数回繰り返して行われることも多い。
したがって、まつ毛のカール作業に手間と時間が掛かり過ぎる問題があり、加えてまつ毛の損傷を一層助長することにもなっている。
【０００６】
本発明は、前記した従来の技術が有するこのような問題点を解消するもので、全体を使い勝手の良いように板状に形成し、一回の作業でまつ毛を弧状の理想的形態に形成、維持することができるまつ毛カール器を提供することを目的とする。
【０００７】
【課題を解決するための手段】
上記目的を達成するために、本発明に係るまつ毛カール器は、ケース本体部は、上端に、目元接触面に沿うよう弧状に湾曲する横長の固定押圧板を有し、この固定押圧板下方に、まつ毛の挿入および可動操作板の昇降操作用の穴、さらには可動操作板およびヒータ電源の収容部がそれぞれ設けられており、
前記可動操作板は、上端に、固定押圧板に対応するように弧状に湾曲された横長のゴム収容凹部が設けられ、この収容凹部に押圧ゴムが、その上端接触面が上方へ突出した状態で収容されており、かつ前記可動操作板に設けられた操作部が前記固定押圧板の穴に擢動自在に嵌合、配置されており、
前記固定押圧板の下端接触面は、まつ毛をカールするよう、縦方向へ弧状に湾曲した突曲面に形成される一方、前記押圧ゴムの上端接触面は、これに対応するよう凹曲面に形成されており、
この押圧ゴム内部にヒータ電源に接続されたヒータが挿入されていることを特徴とする。
【０００８】
この請求項１の発明では、把持ケース全体を内側へ弧状に湾曲した板状に形成されているため、ケース下部を手で握って作業でき、使い勝手が頗るよい。また、横長の固定押圧板と可動操作板を横方向へ弧状に湾曲させてあるため、目元接触面に合せて作業できると共に、固定接触板下端と、可動操作板の収容凹部に収容された押圧ゴム上端とに、縦方向へ湾曲する突曲面と凹曲面とが対応するように形成され、かつ押圧ゴムにヒータが内蔵されているため、一回の作業で短時間にまつ毛を理想的形態にカールすることができ、かつまつ毛の損傷を防ぐことができる。
【０００９】
【発明の実施の形態】
以下、本発明の実施の形態について図面を参照して説明する。
図１は、本発明に係るまつ毛カール器の正面図を示し、図２は、同上の背面図を示し、図３は、同上の側面図を示し、図４は同上のカール作業時における正面図を示し、図５（Ａ）、（Ｂ）はケース本体部とカバー部の各内面図を示し、図６は、ケース本体部に主要部材を装着した状態の一部を切り欠いた内面図を示し、図７は、カール作業前の主要部断面の使用状態説明図を示し、図８は、カール作業中の同上説明図を示す。
【００１０】
本発明に係るまつ毛カール器は、板状の把持ケース１と、可動操作板２１と、押圧ゴム３１およびヒータ４１を主要部材として構成されている。
【００１１】
前記把持ケース１は、次のように構成される。
内側へ弧状に湾曲した硬質プラスチック製の略縦長長方形状のケース本体部２と、これに嵌合する同形状に湾曲する硬質プラスチック製のカバー部３にて構成されている。
【００１２】
ケース本体部２は、上端に、目元接触面ｂに沿うよう横方向へ弧状に湾曲する横長の固定押圧板４を有し、この固定押圧板４下方に、まつ毛ａの挿入および可動操作板２１の昇降操作用の大きな穴５が設けられている。そして、さらに、この穴５の下方に、可動操作板２１およびヒータ４１の電源４２の収容部６が設けられている。ヒータ４１の電源４２としては、後に詳述するようにプリント基板４５、電池４６、スイッチ４９等が使用される。
【００１３】
前記固定押圧板４は図７および図８に明記されているように、その外面略中央に略逆く字形の凹溝７が横設されると共に、外面下端に、まつ毛ａの上側接触面として、縦方向へ弧状に湾曲した突曲面８が形成されている。この突曲面８の湾曲形状は、まつ毛ａが理想的なカール状となるよう成形時にあらかじめ設定される。
【００１４】
また、前記穴５は、可動操作板２１の上部が擢動自在に嵌合、配置される上部穴５ａと、下部の操作部２２が擢動自在に嵌合、配置される下部穴５ｂとを連通して形成されている。
【００１５】
さらに、前記収容部６は、図５および図６に示したように、可動操作板２１の下部が上下方向へ擢動自在に嵌合する凹部６ａと、底面略中央部にＬＥＤ球４８の確認孔６ｂを備えたプリント基板収納用の凹部６ｃと、電池４６収納用の凹部６ｄとを、ケース本体部２の外縁に周設された嵌合用の側板２ａおよび区割板２ｂ、２ｃ、２ｄにて、上下配置に連設して形成されている。このうち、凹部６ｄの中央部には、スイッチ４９の取付孔９が開設されている。
【００１６】
カバー部３は、上端に、ケース本体部２の上部穴５ａに対応する略Ｕ字状の切欠き１０が、上方に開口して形成され、下端に、電池４６出し入れ用の電池カバー１１が嵌合する切欠き１２が、ケース本体部２の凹部６ｃ、６ｄと対応しかつ下方に開口して形成されている。
【００１７】
このカバー部３の外縁にも、ケース本体部２の側板２ａに嵌合する側板３ａが周設されている。なお、図中３ｂは、カバー部３の内側上方中央に設けられた可動押圧板２１のガイド突起である。
【００１８】
前記可動操作板２１は、次のように構成される。
図６〜図８に示したように、ケース本体部２の凹部７ａに嵌合する大きさの正面略縦長長方形状に形成され、上端には、固定押圧板４の下端と対応するように横方向へ弧状に湾曲されたゴム収容凹部２３が設けられている。
【００１９】
また、前記可動操作板２１の正面側の下端中央には、縦長のガイド溝２４が設けられている。このガイド溝２４は、可動操作板２１の同位置に突壁２５を設けることによって形成される。さらに、既述したように、前記可動操作板２１の背面側の略中央部には、本体ケース３に設けられた下部穴５ｂに嵌合される操作部２２が設けられている。この操作部２２は、親指が当接するのみ好適な縦長の隅丸長方形状の凹部２６にて形成されている。そして、この凹部２６は、可動押圧板２１の同位置に、ケース本体部２の凹部６ａに上下擢動自在に嵌合可能な突壁２７を設けることによって形成される。
【００２０】
前記押圧ゴム３１は、次のように構成される。
可動操作板２１上端のゴム収容凹部２３に、上端接触面３２が上方へ突出した状態で収容可能な細長ブロック状に形成されている。そして、この上端接触面３２は、前記固定押圧板４外面下端の突曲面９と対応するように縦方向へ弧状に湾曲した凹曲面３３にて形成されている。さらに、この押圧ゴム３１の長さ方向の中心部には、細孔３４が両端へ開口するようにして穿設され、この細孔３４にヒータ４１が挿入されている。
【００２１】
前記ヒータ４１およびその電源４２は、次のように構成される。
途中にコイル状の発熱部４３を有する電熱線４４にて形成され、発熱部４３が前記押圧ゴム３１の細孔３４へ挿入されると共に、その両端が、可動操作板２１正面に設けられたガイド溝２４形成用の突壁２５の両側を経て、その下方に位置するプリント基板４５にそれぞれ接続される。
【００２２】
このプリント基板４５は、図６に示したように、その下面両側に２本の電池４６の接片４７が付設され、背面側にプリント基板４５と接続されたＬＥＤ球４８が突出して固定されている。このプリント基板４５は、既述したようにＬＥＤ球４８をケース本体部３の確認孔６ｂへ挿入した状態で凹部６ｃに収容されている。電池４６は、図示例では２本使用され、ケース本体部３の凹部６ｄの両側へ、そのプラス部がプリント基板４５の接触片４７へそれぞれ接触された状態で収容される。
【００２３】
さらに、既述したように、ケース本体部３の電池収容用の凹部６ｄに設けたスイッチ４９の取付孔９には、上方のみ開放したガイド突起６ｅがコ字形に形成され、このガイド突起６ｅ間に、作動板５０が上下擢動自在に設けられている。この作動板５０は、その背面側にスイッチ４９の操作子５１が、ケース本体部３の背面部に露出するように連結、固定されている。
【００２４】
この操作子５１は、ケース本体部３の背面側から操作でき、ケース本体部３の取付孔９の上方に印刷した「ＯＮ」方向へ操作子５１を上昇させると、作動板５０が上昇し、プリント基板４５導電部４５ａに接触する一方、下方の「ＯＦＦ」方向へ操作子５１を下降させると、作動板５０が下降し、プリント基板４５の導電部４５ａから切り離されるようになっている。
【００２５】
次に、本発明の作動について説明する。
先ず、スイッチ操作子５１をオンとし、ヒータ４１の発熱部４３を発熱させることによって押圧ゴム３１を加熱した後に、図１〜図４および図７に示したように、把持ケース１を手に持ってその内側を目元ｂの所定位置に当てがい、まつ毛ａを把持ケース１上方に開口した穴５へ差し込む。つまり、本体ケース３上端に設けられた固定押圧板４２、可動操作板２１上端に収容された押圧ゴム３１間に形成された穴５（隙間）にまつ毛ａを挿入するものである。
【００２６】
次いで、可動操作板２１を、その操作部２２の凹部２６に親指を当て、上方へ押し上げると、固定押圧板４下端の突曲面９に対して、可動操作板２１の収容部２３に収容された押圧ゴム３１上端の凹曲面３３が圧接する。これによって図８に示したように、まつ毛ａは上方にカールされる。このさい、手に持った把持ケース１の角度を変えることにより所望のカール状態を選択することができる。
【００２７】
ところで、まつ毛ａをカールさせるのは、前記したようなまつ毛ａに対するヒータ４１による加熱と、押圧ゴム３１と固定押圧板４による機械的な曲げ力によるだけではなく、あらかじめまつ毛９にまつ毛専用のローションを塗布しておくことが望ましい。すなわち、この種ローションとしては、アルカリ性で毛髪を膨潤する性能、アルカリ処理したまつ毛の形状を長時間保持する性能および目元ｂの危険性の無い性能を有するものが好適である。
【００２８】
【発明の効果】
本発明は、以上詳述したように、内側へ弧状に湾曲した板状の把持ケースを使用するので、手で握り易く、かつ可動操作板の操作も容易であって、使い勝手が頗る良いものである。また、固定押圧板と可動操作板上端に収容された押圧ゴムとに、互いに対応するように横長の突曲面と凹曲面を形成し、この間にまつ毛を挟んでヒータの熱によってカールするので、一回の作業で短時間にまつ毛を所望のカール状態に形成、維持することができ、このため、まつ毛の損傷が少ないので安心して使用することができるものである。
【図面の簡単な説明】
【図１】本発明に係るまつ毛カール器の正面図を示す。
【図２】同上の側面図を示す。
【図３】同上の側面図を示す。
【図４】同上のカール作業時の正面図を示す。
【図５】（Ａ）、（Ｂ）ケース本体部とカバー部の各内面図を示す。
【図６】ケース本体部に主要部材を装着した状態の一部を切り欠いた内面図を示す。
【図７】カール作業前の主要部断面の使用状態説明図を示す。
【図８】カール作業中の同上説明図を示す。
【図９】従来のまつ毛カール器の側面図を示す。
【符号の説明】
１    把持ケース
２    ケース本体部
３    カバー部
４    固定押圧板
５    穴
６    収容部
９    突曲面
２１  可動操作板
２２  操作部
２３  ゴム収容凹部
３１  押圧ゴム
３２  上端接触面
３３  凹曲面
４１  ヒータ
４２  電源
４９  スイッチ
ａ    まつ毛
ｂ    目元
【図１】
2004160078.tif 000003
【図２】
2004160078.tif 000004
【図３】
2004160078.tif 000005
【図４】
2004160078.tif 000006
【図５】
2004160078.tif 000007
【図６】
2004160078.tif 000008
【図７】
2004160078.tif 000009
【図８】
2004160078.tif 000010
【図９】
2004160078.tif 000011